【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
遊技の進行を制御する主制御基板と、
該主制御基板からのコマンドをコマンド受信部で受信してコマンド記憶部に記憶するとともに、該記憶したコマンドをコマンド解析制御手段により解析して該解析したコマンドに基づいて演出の進行を制御する演出制御基板と、
前記主制御基板及び前記演出制御基板に電力を供給する電源基板と、
を備えるパチンコ遊技機であって、
前記電源基板は、少なくとも、
前記主制御基板及び演出制御基板の基準制御電圧を作成する基準制御電圧作成部と、
前記主制御基板から前記演出制御基板へコマンドを送信する際に用いる通信制御電圧を作成する通信制御電圧作成部と、
を備え、
前記パチンコ遊技機は、さらに、
当該パチンコ遊技機への電力の停電又は瞬停の兆候を監視するとともに、該電力の停電又は瞬停の兆候を検出すると、停電予告として停電予告信号を出力する停電監視部
を備え、
前記主制御基板は、少なくとも、
前記基準制御電圧作成部が作成する前記基準制御電圧が印加される第１の電源ラインと、
前記通信制御電圧作成部が作成する前記通信制御電圧が印加される第２の電源ラインと、
前記基準制御電圧作成部の補助電源として機能する第１の補助電源と、
前記通信制御電圧作成部の補助電源として機能する第２の補助電源と、
前記第２の電源ラインとアノード端子とが電気的に接続されるとともに、前記第２の補助電源とカソード端子とが電気的に接続されるダイオードと、
を備え、
前記第１の補助電源と前記第２の補助電源とは、前記演出制御基板に対してそれぞれ電気的に絶縁されるように回路構成され、
前記主制御基板からのコマンドが前記演出制御基板へ送信される伝送ラインは、前記ダイオードのカソード端子と前記第２の補助電源とが電気的に並列接続されるとともに、瞬停が発生した際に、前記第２の電源ラインから当該ダイオードを介して印加される前記通信制御電圧が低下しても当該第２の補助電源からの当該通信制御電圧が印加され、
前記演出制御基板は、少なくとも、
前記コマンド受信部が受信したコマンドを前記コマンド記憶部に記憶する受信コマンド記憶制御手段と、
前記停電監視部からの停電予告信号が入力されたことを契機として実行する停電予告信号割り込み制御手段と、
を備え、
前記停電予告信号割り込み制御手段は、少なくとも、
前記主制御基板が送信中のコマンドを受信することができる予め定めた期間だけ待機するコマンド受信待機制御手段
を含み、
前記受信コマンド記憶制御手段は、前記コマンド受信待機制御手段により前記予め定めた期間だけ待機する状態であるときに前記主制御基板からの送信中のコマンドを前記コマンド受信部が受信すると、該受信したコマンドを前記コマンド記憶部に記憶し、
前記演出制御基板は、復電時において、前記コマンド受信待機制御手段により前記予め定めた期間だけ待機する状態であるときに前記受信コマンド記憶制御手段により前記コマンド記憶部に記憶したコマンドを前記コマンド解析制御手段により解析して該解析したコマンドに基づいて演出の進行を制御することにより復帰することを特徴とするパチンコ遊技機。
【手続補正２】
【補正対象書類名】明細書
【補正対象項目名】０００７
【補正方法】変更
【補正の内容】
【０００７】
（解決手段１）
遊技の進行を制御する主制御基板と、該主制御基板からのコマンドをコマンド受信部で受信してコマンド記憶部に記憶するとともに、該記憶したコマンドをコマンド解析制御手段により解析して該解析したコマンドに基づいて演出の進行を制御する演出制御基板と、前記主制御基板及び前記演出制御基板に電力を供給する電源基板と、を備えるパチンコ遊技機であって、前記電源基板は、少なくとも、前記主制御基板及び演出制御基板の基準制御電圧を作成する基準制御電圧作成部と、前記主制御基板から前記演出制御基板へコマンドを送信する際に用いる通信制御電圧を作成する通信制御電圧作成部と、を備え、前記パチンコ遊技機は、さらに、当該パチンコ遊技機への電力の停電又は瞬停の兆候を監視するとともに、該電力の停電又は瞬停の兆候を検出すると、停電予告として停電予告信号を出力する停電監視部を備え、前記主制御基板は、少なくとも、前記基準制御電圧作成部が作成する前記基準制御電圧が印加される第１の電源ラインと、前記通信制御電圧作成部が作成する前記通信制御電圧が印加される第２の電源ラインと、前記基準制御電圧作成部の補助電源として機能する第１の補助電源と、前記通信制御電圧作成部の補助電源として機能する第２の補助電源と、前記第２の電源ラインとアノード端子とが電気的に接続されるとともに、前記第２の補助電源とカソード端子とが電気的に接続されるダイオードと、を備え、前記第１の補助電源と前記第２の補助電源とは、前記演出制御基板に対してそれぞれ電気的に絶縁されるように回路構成され、前記主制御基板からのコマンドが前記演出制御基板へ送信される伝送ラインは、前記ダイオードのカソード端子と前記第２の補助電源とが電気的に並列接続されるとともに、瞬停が発生した際に、前記第２の電源ラインから当該ダイオードを介して印加される前記通信制御電圧が低下しても当該第２の補助電源からの当該通信制御電圧が印加され、前記演出制御基板は、少なくとも、前記コマンド受信部が受信したコマンドを前記コマンド記憶部に記憶する受信コマンド記憶制御手段と、前記停電監視部からの停電予告信号が入力されたことを契機として実行する停電予告信号割り込み制御手段と、を備え、前記停電予告信号割り込み制御手段は、少なくとも、前記主制御基板が送信中のコマンドを受信することができる予め定めた期間だけ待機するコマンド受信待機制御手段を含み、前記受信コマンド記憶制御手段は、前記コマンド受信待機制御手段により前記予め定めた期間だけ待機する状態であるときに前記主制御基板からの送信中のコマンドを前記コマンド受信部が受信すると、該受信したコマンドを前記コマンド記憶部に記憶し、前記演出制御基板は、復電時において、前記コマンド受信待機制御手段により前記予め定めた期間だけ待機する状態であるときに前記受信コマンド記憶制御手段により前記コマンド記憶部に記憶したコマンドを前記コマンド解析制御手段により解析して該解析したコマンドに基づいて演出の進行を制御することにより復帰することを特徴とするパチンコ遊技機。
【手続補正３】
【補正対象書類名】明細書
【補正対象項目名】０００８
【補正方法】変更
【補正の内容】
【０００８】
このパチンコ遊技機では、主制御基板、演出制御基板、電源基板を備えている。主制御基板は、遊技の進行を制御し、演出制御基板は、主制御基板からのコマンドをコマンド受信部で受信してコマンド記憶部に記憶するとともに、その記憶したコマンドをコマンド解析制御手段により解析してその解析したコマンドに基づいて演出の進行を制御するようになっている。電源基板は、主制御基板及び演出制御基板に電力を供給するものである。電源基板は、少なくとも、基準制御電圧作成部、通信制御電圧作成部を備えている。基準制御電圧作成部は、主制御基板及び演出制御基板の基準制御電圧を作成している。通信制御電圧作成部は、主制御基板から演出制御基板へコマンドを送信する際に用いる通信制御電圧を作成している。
【手続補正４】
【補正対象書類名】明細書
【補正対象項目名】０００９
【補正方法】変更
【補正の内容】
【０００９】
このパチンコ遊技機は、さらに、停電監視部を備えている。停電監視部は、パチンコ遊技機への電力の停電又は瞬停の兆候を監視するとともに、その電力の停電又は瞬停の兆候を検出すると、停電予告として停電予告信号を出力するようになっている。
主制御基板は、少なくとも、第１の電源ライン、第２の電源ライン、第１の補助電源、第２の補助電源、ダイオードを備えている。第１の電源ラインは、基準制御電圧作成部が作成する基準制御電圧が印加されるようになっている。第２の電源ラインは、通信制御電圧作成部が作成する通信制御電圧が印加されるようになっている。第１の補助電源は、基準制御電圧作成部の補助電源として機能するようになっている。第２の補助電源は、通信制御電圧作成部の補助電源として機能するようになっている。ダイオードは、第２の電源ラインとアノード端子とが電気的に接続されるとともに、第２の補助電源とカソード端子とが電気的に接続されている。
第１の補助電源と第２の補助電源とは、演出制御基板に対してそれぞれ電気的に絶縁されるように回路構成されるようになっている。
主制御基板からのコマンドが演出制御基板へ送信される伝送ラインは、ダイオードのカソード端子と第２の補助電源とが電気的に並列接続されるとともに、瞬停が発生した際に、第２の電源ラインからダイオードを介して印加される通信制御電圧が低下しても第２の補助電源からの通信制御電圧が印加されるようになっている。
【手続補正５】
【補正対象書類名】明細書
【補正対象項目名】００１３
【補正方法】変更
【補正の内容】
【００１３】
演出制御基板は、復電時において、コマンド受信待機制御手段により予め定めた期間だけ待機する状態であるときに受信コマンド記憶制御手段によりコマンド記憶部に記憶したコマンドをコマンド解析制御手段により解析してその解析したコマンドに基づいて演出の進行を制御することにより復帰するようになっている。
【手続補正６】
【補正対象書類名】明細書
【補正対象項目名】００１４
【補正方法】変更
【補正の内容】
【００１４】
このように、瞬停時に主制御基板からの送信中のコマンドがあった場合には、演出制御基板は、コマンド受信待機制御手段により予め定めた期間だけ待機することによってその送信中のコマンドを受信コマンド記憶制御手段によりコマンド記憶部に記憶することができるとともに、復電時にその記憶したコマンドをコマンド解析制御手段により解析してその解析したコマンドに基づいて演出の進行を制御することにより復帰するようになっている。したがって、瞬停が発生した場合における送信中のコマンドの取りこぼしを解消することができる。
【手続補正７】
【補正対象書類名】明細書
【補正対象項目名】００１５
【補正方法】変更
【補正の内容】
【００１５】
本実施形態では、例えば、図１００の主制御基板４１００が主制御基板に相当し、図１１７及び図１１８の各種コマンドがコマンドに相当し、図１０１の周辺制御各種シリアルＩ／Ｏポート４１５０ａｅの主制御基板用シリアルＩ／Ｏポートがコマンド受信部に相当し、図１０１の周辺制御ＲＡＭ４１５０ｃの受信コマンド記憶領域４１５０ｃａｃがコマンド記憶部に相当し、図１４２の周辺制御部電源投入時処理の周辺制御部定常処理におけるステップＳ１０２２の受信コマンド解析処理がコマンド解析制御手段に相当し、図１００の周辺制御基板４１４０が演出制御基板に相当し、図１０２の電源基板８５１が電源基板に相当し、図１のパチンコ遊技機１がパチンコ遊技機に相当し、図１０２の＋５．２Ｖ、＋５．２５Ｖが基準制御電圧に相当し、図１０２の＋５．２Ｖ作成回路８５１ｄ、＋５．２５Ｖ作成回路８５１ｅが基準制御電圧作成回路部に相当し、図１０２の＋１２Ｖが通信制御電圧に相当し、図１０２の＋１２Ｖ作成回路８５１ｆが通信制御電圧作成回路部に相当し、図１０２の停電監視回路４１１０ｂが停電監視部に相当し、図１０２の主制御フィルタ回路部４１００ｇを介して各種電子部品に供給される＋５．２Ｖが第１の電源ラインに相当し、図１０５のダイオードＭ２０のアノード端子に印加される＋１２Ｖが第２の電源ラインに相当し、図１０４の主制御フィルタ回路４１００ｇの電解コンデンサＭＣ２が第１の補助電源に相当し、図１０５の電解コンデンサＭＣ２０が第２の補助電源に相当し、図１０５のダイオードＭＤ２０がダイオードに相当し、図１４５の周辺制御部コマンド受信割り込み処理におけるステップＳ１２１６の周辺制御部受信リングバッファへ記憶するという処理が受信コマンド記憶制御手段に相当し、図１４６の周辺制御部停電予告信号割り込み処理が停電予告信号割り込み制御手段に相当し、「１７ミリ秒の期間」が「予め定めた期間」に相当し、図１４６の周辺制御部停電予告信号割り込み処理におけるステップＳ１３０８のコマンド受信待機処理がコマンド受信待機制御手段に相当する。
【手続補正８】
【補正対象書類名】明細書
【補正対象項目名】００１６
【補正方法】変更
【補正の内容】
【００１６】
（解決手段２）
解決手段１に記載のパチンコ遊技機であって、前記主制御基板は、さらに、複数のコマンドがセットされる送信バッファレジスタから該複数のコマンドを送信シフトレジスタに転送してシリアルデータとして送信するコマンド送信部と、該コマンド送信部から送信されるシリアルデータを、前記基準制御電圧とするシリアル信号から前記通信制御電圧とするシリアル信号に変換するインターフェース部と、を備え、前記コマンド送信部は、前記第１の電源ラインと前記第１の補助電源とが電気的に並列接続されるとともに、瞬停が発生した際に、当該第１の電源ラインから印加される前記基準制御電圧が低下しても当該第１の補助電源からの当該基準制御電圧が印加され、前記インターフェース部は、前記ダイオードのカソード端子と前記第２の補助電源とが電気的に並列接続されるとともに、瞬停が発生した際に、前記第２の電源ラインから当該ダイオードを介して印加される前記通信制御電圧が低下しても当該第２の補助電源からの当該通信制御電圧が印加されることを特徴とするパチンコ遊技機。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
主制御基板は、さらに、コマンド送信部、インターフェース部を備えている。コマンド送信部は、複数のコマンドがセットされる送信バッファレジスタからその複数のコマンドを送信シフトレジスタに転送してシリアルデータとして送信するようになっている。インターフェース部は、コマンド送信部から送信されるシリアルデータを、基準制御電圧とするシリアル信号から通信制御電圧とするシリアル信号に変換するようになっている。
【手続補正１１】
【補正対象書類名】明細書
【補正対象項目名】００２２
【補正方法】変更
【補正の内容】
【００２２】
本実施形態では、例えば、図１０５の主制御ＭＰＵ４１００ａに内蔵された主周シリアル送信ポート４１００ａｅの送信バッファレジスタ４１００ａｅｂが送信バッファレジスタに相当し、図１０５の主制御ＭＰＵ４１００ａに内蔵された主周シリアル送信ポート４１００ａｅの送信シフトレジスタ４１００ａｅａが送信シフトレジスタに相当し、図１０５の主制御ＭＰＵ４１００ａに内蔵された主周シリアル送信ポート４１００ａｅがコマンド送信部に相当し、図１０５のプルアップ抵抗ＭＲ２０、抵抗ＭＲ２１，ＭＲ２２、及びトランジスタＭＴＲ２０から構成される回路がインターフェース部に相当する。